(57)【特許請求の範囲】
【請求項１】
コンクリートブロック集合マットに対応した脱型装置本体を設け、
該脱型装置本体の内側にコンクリートブロック型枠の外枠に対応した外枠受取部を設け、該外枠受取部の適所には伸縮性を有し厚手の硬質ゴムからなる外枠受止部を設けるとともに、該外枠受取部の長手方向の一方には倒れ込むコンクリートブロック型枠が滑って移動しないように外枠を受け止める滑止部を設け、
前記外枠受取部の内側には、コンクリートブロック部分を受ける柔軟なスポンジゴムを充填したブロック受部を設け、
前記コンクリートブロック型枠の底面には長手方向に直交する被案内部材を設けるとともに、該被案内部材を前記脱型装置本体の手前の側面の下方に設けた案内部材で案内してコンクリートブロックが打設されている型枠を所定位置に配置させ、
所定位置に位置した該型枠を、前記脱型装置に設けた当接部を中心として回転させ、該脱型装置本体にマットを上にしてブロック受部に倒れ込ませ、該脱型装置によってコンクリートブロック集合マットから前記型枠を取り除くようにしたことを特徴とするコンクリートブロック集合マットの脱型装置。
【請求項２】
前記外枠受止部及び滑止部の表面には断面Ｌ字形状の金属部材を配設したことを特徴とする請求項１に記載のコンクリートブロック集合マットの脱型装置
【請求項３】
前記ブロック受部の表面はゴムシートで覆ったことを特徴とする請求項１又は２に記載のコンクリートブロック集合マットの脱型装置。
【請求項４】
コンクリートブロック集合マットに対応した脱型装置本体を設け、
該脱型装置本体の内側にコンクリートブロック型枠の外枠に対応した外枠受取部を設け、該外枠受取部の適所には伸縮性を有し厚手の硬質ゴムからなる外枠受止部を設けるとともに、該外枠受取部の長手方向の一方には倒れ込むコンクリートブロック型枠が滑って移動しないように外枠を受け止める滑止部を設け、
前記外枠受取部の内側には、コンクリートブロック部分を受ける柔軟なスポンジゴムを充填したブロック受部を設け、
前記コンクリートブロック型枠の底面には長手方向に直交する被案内部材を設けるとともに、該被案内部材を前記脱型装置本体の手前の側面の下方に設けた案内部材で案内してコンクリートブロックが打設されている型枠を所定位置に配置させ、
所定位置に位置した該型枠を、前記脱型装置に設けた当接部を中心として回転させ、該脱型装置本体にマットを上にしてブロック受部に倒れ込ませ、該脱型装置によってコンクリートブロック集合マットから前記型枠を取り除くようにしたことを特徴とするコンクリートブロック集合マットの脱型方法。
【発明の詳細な説明】
【技術分野】
【０００１】
本発明は、護岸等に使用する定型コンクリートブロックや擬石ブロックを配したコンクリートブロック集合マットの脱型装置、および、その脱型方法の技術分野に属する。
【背景技術】
【０００２】
近時、護岸等に多数のコンクリートブロックを敷き詰めたマットが施行の簡便さから使用されている。
従来のコンクリートブロック集合マットは、複数のコンクリートブロックをアンカーピンやビスなどの連結具を用いてマットに固着して、施工時にそのまま護岸等に敷き詰めて施工するマットや、コンクリートブロックの施工方法(特許文献１)が提案されている。更に、複数のコンクリートブロックの底面にエポキシ樹脂接着剤を塗りマットに固着して、護岸等に施工する施工方法(特許文献２)が提案されている。 また、コンクリートブロックの成型時に、コンクリートが未硬化状態にある内にシートを押し当ててシートに固着する方法(特許文献３)が提案されている。
【０００３】
そこで、本発明者は、施工面における天然石模様の擬石の配置状況が不規則に観取されるコンクリートブロックを開発し、この擬石ブロックコンクリート型枠において、型枠が施工時の配列になるように複数の型枠を一括して配列し、コンクリートを流し込んだ際には擬石の底面が型枠の上部の表面に露出し、露出した擬石の底面に大粒の石を混入したセメントおよびアクリル水性接着剤を練った接着剤に塗布し、その上に透水性の不織布マットを敷いて擬石をマットに固着させ、固着後に型枠から擬石をマットごと一緒に脱形するコンクリート擬石ブロック付きマットを提供している(特許文献４)。
【０００４】
ところで、これらコンクリートブロック集合マットの型枠からの脱型は、コンクリートブロック集合マットが、通常、幅１.６ｍ、長さ６ｍと大きな表面であることから、型枠を分解すると行ったことが不向きで、従来は、特許文献５に示されるような型枠全体を振動させてコンクリートブロックを分離させる振動型の脱型装置が提案されれている。
【先行技術文献】
【特許文献】
【０００５】
【特許文献１】特公平3-3766号公報
【特許文献２】実公昭51-9135号公報
【特許文献３】特開昭54-93018号公報
【特許文献４】特開2008-265172号公報
【特許文献５】特開2008-30362号公報
【発明の開示】
【発明が解決しようとする課題】
【０００６】
ところで、前述した振動型の多数のコンクリートブロックを１枚のマットに集合したコンクリートブロック集合マットの脱型装置は、装置自体が大型であり、コンクリートブロック集合マット及び枠体の重量が大きく、振動装置を大型にしなければならず、マットの装置への装着や脱離に多くの人手を要するといった問題点があった。
本発明は、上記の問題点に鑑みてなされたもので、その課題は、多数のコンクリートブロックを１枚のマットに集合したコンクリートブロック集合マットを型枠から簡単に脱型でき、かつ、１人或いは少人数でも操作が可能な大型のコンクリートブロック集合マットの脱型装置、および、その脱型方法を提供することにある。
【課題を解決するための手段】
【０００７】
上記の課題を解決するために、請求項１の発明は、コンクリートブロック集合マットに対応した脱型装置本体を設け、該脱型装置本体の内側にコンクリートブロック型枠の外枠に対応した外枠受取部を設け、該外枠受取部の適所には伸縮性を有し厚手の硬質ゴムからなる外枠受止部を設けるとともに、該外枠受取部の長手方向の一方には倒れ込むコンクリートブロック型枠が滑って移動しないように外枠を受け止める滑止部を設け、前記外枠受取部の内側には、コンクリートブロック部分を受ける柔軟なスポンジゴムを充填したブロック受部を設け、前記コンクリートブロック型枠の底面には長手方向に直交する被案内部材を設けるとともに、該被案内部材を前記脱型装置本体の手前の側面の下方に設けた案内部材で案内してコンクリートブロックが打設されている型枠を所定位置に配置させ、所定位置に位置した該型枠を、前記脱型装置に設けた当接部を中心として回転させ、該脱型装置本体にマットを上にしてブロック受部に倒れ込ませ、該脱型装置によってコンクリートブロック集合マットから前記型枠を取り除くようにしたことを特徴とするコンクリートブロック集合マットの脱型装置である。
請求項２の発明は、請求項１に記載のコンクリートブロック集合マットの脱型装置において、前記外枠受止部及び滑止部の表面には断面Ｌ字形状の金属部材を配設したことを特徴とする。
請求項３の発明は、請求項１又は２に記載のコンクリートブロック集合マットの脱型装置において、前記ブロック受部の表面はゴムシートで覆ったことを特徴とする。
【０００８】
請求項４の発明は、コンクリートブロック集合マットに対応した脱型装置本体を設け、該脱型装置本体の内側にコンクリートブロック型枠の外枠に対応した外枠受取部を設け、該外枠受取部の適所には伸縮性を有し厚手の硬質ゴムからなる外枠受止部を設けるとともに、該外枠受取部の長手方向の一方には倒れ込むコンクリートブロック型枠が滑って移動しないように外枠を受け止める滑止部を設け、前記外枠受取部の内側には、コンクリートブロック部分を受ける柔軟なスポンジゴムを充填したブロック受部を設け、前記コンクリートブロック型枠の底面には長手方向に直交する被案内部材を設けるとともに、該被案内部材を前記脱型装置本体の手前の側面の下方に設けた案内部材で案内してコンクリートブロックが打設されている型枠を所定位置に配置させ、所定位置に位置した該型枠を、前記脱型装置に設けた当接部を中心として回転させ、該脱型装置本体にマットを上にしてブロック受部に倒れ込ませ、該脱型装置によってコンクリートブロック集合マットから前記型枠を取り除くようにしたことを特徴とするコンクリートブロック集合マットの脱型方法である。
【発明の効果】
【０００９】
以上説明したように、本発明のコンクリートブロック集合マットの脱型装置、および、その脱型方法によれば、多数のコンクリートブロックを１枚のマットに集合したコンクリートブロック集合マットを型枠から簡単に脱型でき、かつ、１人或いは少人数でも操作が可能である。
かつ、コンクリートブロック枠体の破損が少なく、繰り返し使用することができる。
【図面の簡単な説明】
【００１０】
【図１】本発明の実施例のコンクリート擬石ブロックの一個の斜視図、
【図２】図１(a)は、図１のコンクリート擬石ブロックの複数を固着したコンクリート擬石ブロック付きマットの正面図であり、図１(b)はその側面図、
【図３】本発明の実施例のコンクリート擬石ブロック付きマットにおける、コンクリート打設前の擬石型枠の平面図、
【図４】図３の型枠で擬石型枠を除いた骨格の平面図、
【図５】図４の型枠の側面図、
【図６】図３の型枠の中央部分での部分断面図、
【図７】本実施例で使用する接着剤を塗布する製造工程を説明する説明図、
【図８】本実施例で使用するマットと擬石ブロックを接合する製造工程を説明する説明図、
【図９】型枠にマットと擬石ブロックを接合した状態の平面図、
【図１０】図９のコンクリート擬石ブロック付きマットの型枠での側面拡大断面図、
【図１１】脱型装置と型枠の全体の平面図、
【図１２】図１１の側面図、
【図１３】脱型装置と型枠からコンクリート擬石ブロックを脱型する工程を説明する説明図、
【図１４】クレーンでコンクリートブロック集合マットの両端を把持して湾曲させた状態の斜視図である。
【図１５】図２のコンクリート擬石ブロック付きマットの複数枚を護岸に施工した状態の説明図である。
【図１６】別の従来のマットとコンクリート矩形ブロックの正面図である。
【発明を実施するための最良の形態】
【００１１】
ここで、本発明に好適な多数のコンクリートブロックを１枚のマットに集合したコンクリートブロック集合マット、特に、コンクリート製の擬石コンクリート付きのマットの脱型装置、および、その脱型方法の実施例を図面を参照して説明する。
本実施例に使用するコンクリート擬石ブロック１(以下、単に「ブロック」という。)は、図１の斜視図に示すようなもので、一ブロックは縦(Ｘ)30cm,横(Ｙ)30cm,高さ(Ｚ)10cm程度の大きさで、基板１１上に大きな擬石１２が４個と小さな擬石１３が２個とが配置され、擬石表面は自然石に模した凹凸が色彩を有しており、底面１４はほぼ平らであり、本実施例の複数配列のコンクリート擬石ブロック自体は、周囲や上面に複雑な凸凹を有し、ブロックの擬石の外周や接合線に直線部分が一切なく、上面が平らで自然石模様であるので、スリップ止めになり作業員や完成後の人が水辺を歩くにも適した形状のものを使用した。
勿論、本発明は、擬石ブロックだけではなく、図１６に示すような矩形コンクリートブロック１aを集合させたコンクリート製のブロック付きマットも対象である。
【００１２】
図２に示すように、本実施例で使用するのコンクリート擬石ブロック付きマット２（或いは、図１６に示すようなコンクリート矩形ブロック１aを集合したマット２も含むが、ここでは図２のものを主に説明するが）は、コンクリート製のブロックに接する底面１４(図７参照、型枠では上面)がセメント素材などのアルカリの化学反応に強いポリプロピレン繊維の不織布で、間隔を置いて縦或いは横方向に補強のためにポリプロピレン或いはポリエステル製フィラメントの束を撚ったロープ２１が組み込まれている。
このマット２は、全体の平均厚さは３mm以上であり、本実施例の１マット当たりのコンクリート擬石ブロック１の全体は１.３トンであることから、施工時にマット２を吊り上げた時にこれに耐える強度を有しなければならず、縦方向の引張強度は2.94Kgf/5cmであり、引張伸度は１５％以下であり、透水性は１×10-2cm/secの物性値のものを使用した。
このマット２には、図２に示すように、本実施例では、前記のコンクリート擬石ブロック１を縦(Ｘ方向)に２０〜３０行、横(Ｙ方向)に６列に後述する接着材で固定し、縁部の(図１では左側)端部分Ａ、(同右側)端部分Ｂ、(同下側)端部分Ｃにはブロック１が存在しないマットだけのマット把持部Ａ，Ｂ，Ｃを設け、(上側)端部分Ｄにはコンクリート擬石ブロック１がマット２から若干はみ出る程度にまで存在させる(図２参照)マット接合部Ｄが設けられている。
【００１３】
そして、施工においては、図１４及び図１５に示すように、護岸などの施工においては、複数のコンクリート製の擬石ブロック１が付いたマット２ごと一括して、図１４に示すようなフォークリフト６によって運搬車に積載し、現場に運搬してから、先ず、フォークリフト６などでマット２のブロックのない両把持部Ａ，Ｂをフォークリフト６に備えた把持具７で把持し、施工現場である護岸に直接マット２を敷き、マット２の両把持部Ａ,Ｂを堤側Ｅと河川側Ｆとに固定する。更に、次のマットを敷き詰める場合は、既に施工されているマット２だけの左側端部分の把持部Ｃの上に、把持部がない接合部分Ｄの擬石ブロック１を、施工されている擬石ブロック１に密接して敷き詰める。なお、フォークリフト６等でマット２の両把持部Ａ，Ｂを把持して移動するが、この際マット２は大きく湾曲状態となり、その後平坦状態に戻されるが、この際に、後述するように、レジンモルタル４層には簡単に細かく狭い亀裂が生ずるが、この亀裂は通水性や通気性を付与するものとなり、敢えて、パンチ等で貫通孔を設けなくても良い。また、亀裂が小さく不足していれば、湾曲状態と平坦状態を交互に適宜繰り返せば、所望の亀裂の数(量)にすることができる。
その後は、同様に次のマット２を直接敷き詰めるだけ放置すればよく、二つのマット２の接合部分Ｄは擬石ブロック１に隠れて外からは見えず、護岸全体が均一に擬石ブロック１を敷き詰めた外観を呈し、しかも、不織布のマット２は上に植物の根が入り込むことが可能な隙間を有する目付程度であるから、水が通過することは勿論のこと植物の根も入り込み、擬石の間には客土が堆積することと相俟って植物も生育し、全体として自然環境にマッチした護岸が形成される。勿論、マット２の大きさや把持部Ａ，Ｂ，Ｃの形や大きさは、施工現場の状況に合わせて適宜変更される。
【００１４】
[ブロック付きマットの型枠]
次に、本実施例に使用するのコンクリート製の擬石ブロック付きマットの製造方法を図３乃至図１０に沿って説明する。
前述した擬石ブロックについての型枠３は、図３の型枠平面図に示すように、前述したコンクリート擬石ブロック付きマット２に搭載される複数の擬石ブロック１の数だけ個々の疑石型枠３２を集合配列し、この複数の疑石型枠３２を一括して一体化した一つの大きな(疑石)型枠３としたものである。
この長方形の型枠３は、周りの外枠３１はＦＲＰ樹脂で、内側の擬石を形成する擬石型枠３２はポリウレタン樹脂で構成され、型枠底面部分３２１(図１０参照)には鉄筋や鉄板が埋め込まれて型枠全体を補強している。
型枠３を外した骨格を示す図４、図５に示すように、型枠３の全体形状は、外枠３１の外周に鉄骨の強固な基礎枠３３を設け、外枠３１の両長手方向の適所、本実施例ではそれぞれの左右側面寄り箇所に金属製(鉄製)の枠保護受板３４を設けており、この枠保護受板３４は後述する脱型装置５のブロック受部５３に対応する位置に位置している。
【００１５】
底面３８(図５参照)には、一対の長手方向の外枠３１の中間には補強鉄骨３５を掛け渡し、枠保護受板３４の下のコンクリート型枠３の底面３８には長手方向に直交するＨ鋼の被案内部材３６が左右に補強を兼ねて掛け渡されいる。
また、長手方向の外枠３１の内側のほぼ中央には、フォークリフト６のフォーク６１a,bが挿入される角材のフォーク挿入部材３７a,bが設けられ、フォーク挿入部材３７a,bは断面矩形の中空であって、この中空部にフォーク挿入部材３７a,bを挿入するがこの角材は補強を兼ねて掛け渡されいる。
このような構成であるので、型枠３にセメント(コンクリート)を打設すれば、１マットに対応する複数の集合状態のコンクリート擬石ブロック１を一度に一括して作成できる。
【００１６】
[ブロック付きマットの製造]
図６〜図８に示すような工程で、図６に示すように、この型枠３の各擬石型枠３２にセメント(コンクリート)を打設するが、図７に示すように、型枠３によって型どられた擬石ブロック１の底部１４の表面が上向きに露出しており、コンクリートが固まった時点で接着材料である後述するレジンモルタル４をモルタルガン４１で底部１４に塗布する。
次に、この製造工程を詳細に説明する。
本実施例で使用する接着材料としては、強度、環境対策、マットの劣化防止の観点から次の［表１]の組成のレジンモルタル４が有効であった。
【００１７】
［表１］レジンモルタルの組成
１．砂            （３５〜５０)４０重量％
２．セメント      （３５〜５０)４０重量％
３．酢酸ビニル    （１５〜４０)２０重量％
小計                      １００重量％
４．水               適量(砂＋セメントと同重量）
【００１８】
なお、紫外線を遮断するためにレジンモルタル層を有る程度厚く(0.3〜1.5mm)しなければならないが、砂はそのための増量剤であるが、多すぎると相対的にセメントや酢酸ビニルが少なくなり強度不足が生じ、少なすぎるとセメントや酢酸ビニルを多く費やしてコスト高になるから３５〜５０重量％程度が良く、好ましくは４０重量％である。また、セメントは多すぎると相対的に酢酸ビニルの量がへりコンクリートからしみ出るアルカリ成分を中和して遮断する機能が低下し、少なすぎると強度不足が生じるから３５〜５０重量％程度が良く、好ましくは４０重量％である。
更に、重要なのは酢酸ビニルを使用することであるが、砂やセメントとともに、特に、酢酸ビニル樹脂層が形成されているので、効率良く紫外線を遮断するのであるが、酢酸ビニルは多すぎると、コスト高になるとともに、運搬や施行作業中に水の出入りのためのひび割れを生じさせる必要があるが、ひび割れが生じ難くなり、又、パンチにより通水孔を作成する場合にも作成が困難になる。逆に、酢酸ビニルが少なすぎると、紫外線を遮断する機能が低下するとともに、アルカリ成分を中和して遮断する機能も低下するから、１５〜４０重量％程度が良く、好ましくは２０重量％である。なお、酢酸ビニルは６０重量％程度でもよいが、コスト高となり無駄であり、前述の組成比が適当である。
【００１９】
尤も、マット２が湾曲した場合にレジンモルタル４の亀裂が生じる箇所は、ブロック１の底面１４が固定されている箇所は曲がらないので、ブロック１とブロック１との間のコンクリートが存在しない箇所が曲がることから、このブロック間に亀裂が生じるので、アルカリ成分からマット２を防御する作用には変わりはない。また、細かな狭い亀裂であるので、紫外線も下のマット２までとどくことはなく、紫外線の遮断作用も変わりはない。
更に、水は適度の粘度を有する程度を混入するが、一般には(本実施例)、加えた砂とセメントの合算した重量と同程度の重量を加えるのが良い。
なお、上記レジンモルタル４の組成において、冬場のような、コンクリートブロックのセメントの硬化に時間を要する場合は、必要に応じて、セメント硬化促進剤として塩化カルシュームを２〜６重量％を混入しても良く、この場合には早期に接着が完了し、製品の脱型時期を早めることができる。
【００２０】
上記の組成において、前掲特許文献４の先行技術では大粒の石を混入させることで、大粒の石はマット２の中に潜り、マット２と擬石ブロック１とに楔のように作用し、砂とセメントと接着剤の場合よりも接着性能を向上させたが、大粒の石が混入することによりマットの厚さが不揃いになる場合があり、施工に支障を来すことがあったので、先行技術のアクリル水性接着剤に変えて、本発明の実施例では粘性の大きい酢酸ビニルを使用し、酢酸ビニルが粘性の大きいことから接着力がより強力であり、且つ、全面に塗布したレジンモルタル４の層を、簡単にほぼ均一に０.３mm〜１.０mmの厚さに、好ましくは０.５mmの厚さ形成するのが良い。
この厚さは、０.３mm以下だと紫外線の遮断作用が弱く、１.０mm以上だとレジンモルタルの費用のコスト高になるとともに、マット２とレジンモルタル４層に通水性を与える場合に、薄ければ簡単に亀裂が生じて通水機能を果たすようになるが、厚いと亀裂が生じ難くなり、また、レジンモルタル４層の適所にパンチ具等で貫通孔を設ける場合があるが、レジンモルタル４層が厚すぎると開孔形成作業に手間がかかることになり(尤も、前述したようにマット２の両端を把持して移動する際に適度の亀裂が生じ、これが水や空気の通路となるので、敢えて貫通孔を設ける必要のない場合が多い)、更にマット２自体の柔軟性もなくなり、現場での施行作業に手間がかかるようになるからである。
【００２１】
図７に示すように、前記の組成のレジンモルタル４を接着材料をモルタルガン４１で型枠３(接着材料４は型枠３からは脱離可能である。)と擬石ブロック１の底面１４に一括して塗布するが、塗布方法はマットとの関係から、図７に示すように、接着材料のレジンモルタル４は、後述する理由によりマット２の全面を覆うように塗布し、詳しくは、コンクリートを流し込んだ際にはブロックの底面１４が型枠３の上部の表面に露出し、露出したブロックの底面１４と、その間の型枠３の型枠上面部分322とにレジンモルタル４を塗布する。
次に、擬石ブロック１をマット２に固着する作業を行うが、図８に示すように、厚さ３〜６mm程度の不織布のマット２を、型枠３の上面に押し当てながら敷き詰める。その結果、図９、図１０に示したように、擬石ブロック１とマット２とは接着材料のレジンモルタル４によって接着固定されることになり、硬化終了した時点で、擬石ブロック１とマット２が強固に一体になったコンクリート擬石ブロック集合とマット２が結合したマット２を型枠３から脱型する。
【００２２】
[脱型装置]
次に、コンクリートブロック集合マットに対応した脱型装置５を図１１、図１２に沿って説明する
脱型装置５の本体部５１の内側に、コンクリートブロック型枠３の外枠３１に対応した外枠受取部５２を設け、外枠受取部５２自体を硬質ゴムとするとともに、外枠受取部５２の適所には伸縮性を有し特に堅い硬質ゴムからなる枠保護受板３４を受け止める外枠受止部５２１が設けられている。
この外枠受止部５２１は、外枠受取部５２の長手方向の一方には倒れ込むコンクリートブロック型枠３が滑って移動しないように外枠３１の側面３１１(図13参照)を受け止める滑止部５２２を設けている。この外枠受止部５２１及び滑止部５２２は、対向する型枠３側の枠保護受板３４が金属製であることから、硬質ゴムだけでは打撃に耐えられないので、外枠受止部５２１及び滑止部５２２の表面には断面Ｌ字形状の金属部材5211を配設している。
また、外枠受取部５２の内側にはコンクリートブロック部分を受け取る際に衝撃を緩和するように十分に厚い柔軟なスポンジゴムを充填したブロック受部５３が設けられ、ブロック受部５３の表面は外部から雨水が塵が進入しなようにゴムシート５４で覆われている。同様に裏面もゴムシート５８で覆っている。
なお、ゴムシート５４、５８はスポンジゴムを保護するためのものでもあるので、強度があれば他のビニールシートや布等でも良く、場合によっては無くてもよい。
【００２３】
脱型装置５の本体５１の長手方向の側面５１１の下方には外側に張り出した案内部材５５が設けられ、この案内部材５５は左右に中心に傾斜して中央に誘導するように形成した案内側壁５５１が設けられ、型枠３側のＨ鋼からなる被案内部材３６を所定の位置に誘導する。
そして、図１２に示すように、フォークリフト６でのフォーク６１a,bをフォーク挿入部材３７a,bに差し込んで、コンクリートブロック型枠３を少し浮かせて、前進し図１１の点線部分の位置、即ち、コンクリートブロック型枠３の前側面の被案内部材３６が脱型装置５の本体部５１の背側の側面５１１に接触するまで移動させる。
脱型装置５の本体５１の長手方向の側面５１１の１対の案内部材５５の内側には１対のタイヤ踏み板５６a,bが設けられており、このタイヤ踏み板５６a,bは長手方向の側面５１１のほぼ中心部に位置し、フォークリスト６(図１４参照)の一対のタイヤ６２a,bが載る一対の踏み部材５６２が設けられ、この踏み部材562a,bはそれぞれ脱型装置接続部５６１によって脱型装置５の本体部５１に強固に接続されている。
したがって、上述したように、コンクリートブロック型枠３の被案内部材３６が脱型装置の本体部５１の背側の側面511に衝突しても、フォークリスト６自体の重量がタイヤ６２a,bの下の踏み部材５６２に付加され、脱型装置５が移動することがない。なお、踏み部材５６２の配置は、稼働するフォークリスト６のタイヤ幅に合わせて適宜変更すればよい。
なお、脱型装置５の長手方向の側面５１１の適所には脱型装置５を移動するための一対の取手５７が設けられている。
【００２４】
[脱型方法]
以上のような、コンクリートブロック型枠３及び脱型装置５の構成での脱型の手順を説明する。
[型枠セット工程]
図１２、図１３に示すように、先ず、コンクリートブロック型枠３を脱型装置５の所定の場所にセットする。
図１２に示すように、この作業は型枠３のフォーク挿入部材３７a,bに図１４に示すフォークリフト６のフォーク６１a,bをフォーク挿入部材３７a,bに差し込んで、コンクリートブロック型枠３を少し浮かせて、フォークリスト６のタイヤ６２a,bが踏み部材５６２を踏みながら前進させ、型枠３のＨ鋼の被案内部材３６の先端３６１を、案内部材５５の両案内側壁５５１の間に位置させながら更に前進させ、両案内側壁５５１に沿って被案内部材３６を誘導し、被案内部材３６(図４等参照：Ｈ鋼)の先端３６１が脱型装置５の本体部５１の側面５１１に当接して、コンクリートブロック型枠３を脱型装置５の所定の位置の工程Ｓ１にセットされることになる。
【００２５】
[型枠反転工程]
次に、型枠３を反転させてコンクリート擬石ブロック１を型枠３から脱型するが、先ず、フォーク６１a,bをフォーク挿入部材３７a,bから抜き、改めて、フォーク６１a,bを型枠３の底面３８の適宜の箇所に押し当てて、型枠３の一方の長手方向の側面近傍の底面３８１(図１３では右側側面の近傍の底面)を押し上げる。
こうして、型枠３は、脱型装置５と当接した当接部Ｚを中心として回転させるが、実際には外枠３１の枠保護受板３４をほぼ中心として回動し、工程Ｓ２のように斜めの状態になり、更にフォーク６１a,bを前進させて押し込むと、工程Ｓ３のように前に倒れる状態になり、結果として工程Ｓ４のようにコンクリート擬石ブロック１が打設された型枠３は脱型装置５に倒れ込む。
この際、倒れ込んだ衝撃で、コンクリート擬石ブロック１は型枠３から落下して、十分に厚い柔軟なスポンジゴムを充填したブロック受部５３に落下する。
倒れ込む際に、型枠３の外枠３１は、外枠受取部５２で受け取るが、硬質ゴム製の部材であるので破損することはない。更に、破損を防止する為に型枠３側の金属製の枠保護受板３４は、脱型装置５側の外枠受止部５２１及び金属部材5211に当接して、外枠３１の衝撃を吸収している。
この外枠受取部５２や外枠受止部５２１の硬質ゴムが柔らかすぎると、コンクリート擬石ブロック１は型枠３から脱離や落下が不十分となり、全くの金属だけであると硬すぎて外枠３１や疑石型枠(図１６に対応する矩形型枠(図示せず))３２が破損されることが多くなる。
【００２６】
[型枠取除き工程]
前述の工程で脱型自体は完了しているので型枠３を取除くが、型枠３の底面(裏面)３８が上面になっているが、底面３８のフォーク挿入部材３７a,bにフォークリフト６のフォーク６１a,bに差し込んで、コンクリートブロック型枠３を上方に持ち上げ、フォークリフト６を後退させて、更に、フォーク６１a,b自体を回動して、枠体３を反転させ、図５、図６に示すように元の状態にして、所定のストックヤードに載置する。
そして、脱型装置５側の本体部５１の上面には、マット２を下にしコンクリート擬石ブロック１を上にした状態で、コンクリートブロック集合マット２の脱型３は一応完成する。
脱型装置５からの完成したコンクリートブロック集合マット２を移動するには、図１４で説明したように、フォークリフト６などでマット２のブロックのない両把持部Ａ，Ｂをフォークリフト６に備えた把持具７で把持し、移動すれば良い。
【００２７】
以上は、コンクリート擬石ブロック付きマットについて説明したが、ブロックは、コンクリート製のブロックの集合体であれば、擬石だけでなく、図１６に示すような、幾何学的な平面がコンクリート矩形ブロック１aの一単位のブロックが矩形でも良い。
このように、上述した実施例によれば、振動装置等の大がかり装置を使用する必要がなく、フォークリフトの操作だけで多数のコンクリートブロックを１枚のマットに集合するコンクリートブロック集合マットを、大型のコンクリートブロック集合マットの型枠から簡単に脱型でき、かつ、１人或いは少人数でも操作が可能である。かつ、コンクリートブロック枠体の破損が少なく、繰り返し使用することができる。
なお、本発明の特徴を損なうものでなければ、上記の実施例に限定されるものでないことも勿論である。例えば、脱型装置５を固定するために踏み部材562を用いたが、床や地面にペグやアンカーボルト等で強固に固定するようにしてもよい。
【符号の説明】
【００２８】
Ａ，Ｂ，Ｃ・・把持部、Ｄ・・接合部分、Ｅ・・堤、
Ｆ・・河川、Ｚ・・当接部
１・・コンクリート擬石ブロック、１a・・コンクリート矩形ブロック、
11・・基板、12,13・・擬石、14・・底面
２・・(合成樹脂繊維)マット(ポリプロピレン繊維不織布)、
21・・ポリプロピレン(ポリエステル)フィラメントの束を撚ったロープ
３・・(コンクリートブロック)型枠、３１・・外枠、311・・側面
３２・・擬石型枠、３２１…型枠底面部分、３２２・・型枠上面部分、
３３・・基礎枠、３４・・枠保護受板、３５・・補強鉄骨、
３６・・被案内部材(Ｈ鋼)、 ３７a,b・・フォーク挿入部材、
３８・・底面、381・・長手方向の一方の側面近傍の底面
４・・レジンモルタル、４１・・モルタルガン
５・・脱型装置、
５１・・脱型装置の本体部、５１１・・側面
５２・・外枠受取部、５２１・・外枠受止部、５２２・・滑止部、
5211・・金属部材、
５３・・ブロック受部、５４,５８・・ゴムシート、
５５・・案内部材、５５１・・案内側壁
５６a,b・・タイヤ踏み板、５６１・・脱型装置接続部、
５６２,562a,562b・・踏み部材、
５７・・取手、
６・・フォークリフト、６１a,b・・フォーク、６２a,b・・タイヤ
７・・把持具
【図１】
0005829904.tif 000002
【図２】
0005829904.tif 000003
【図３】
0005829904.tif 000004
【図４】
0005829904.tif 000005
【図５】
0005829904.tif 000006
【図６】
0005829904.tif 000007
【図７】
0005829904.tif 000008
【図８】
0005829904.tif 000009
【図９】
0005829904.tif 000010
【図１０】
0005829904.tif 000011
【図１１】
0005829904.tif 000012
【図１２】
0005829904.tif 000013
【図１３】
0005829904.tif 000014
【図１４】
0005829904.tif 000015
【図１５】
0005829904.tif 000016
【図１６】
0005829904.tif 000017